(57)【要約】【課題】  高温金属材の移動速度を非接触で精度良く測定することができると共にメンテナンス性に優れた移動速度測定装置を提供する。【解決手段】  本発明に係る移動速度測定装置１０は、移動する高温金属材Ｓの表面を撮像する撮像装置１と、撮像装置で撮像した撮像画像を画像処理して高温金属材の移動速度を算出する画像処理装置２とを備えている。画像処理装置は、撮像装置で撮像した第１の撮像画像について、高温金属材のエッジ部Ｅ近傍を除く領域であって且つスケールが存在する領域に対応する所定の画素領域を検知対象として抽出し登録し、所定時間経過後に撮像装置で撮像した第２の撮像画像について、登録した検知対象と相関性を有する画素領域を抽出し、第１の撮像画像と第２の撮像画像のそれぞれについて抽出した各画素領域の離間距離を前記所定時間で除算することにより、高温金属材の移動速度を算出する。【選択図】    図２
2006214786.tif 000002
【特許請求の範囲】
【請求項１】
移動する高温金属材の表面を撮像する撮像装置と、
前記撮像装置で撮像した撮像画像を画像処理して高温金属材の移動速度を算出する画像処理装置とを備え、
前記画像処理装置は、
前記撮像装置で撮像した第１の撮像画像について、高温金属材のエッジ部近傍を除く領域であって且つスケールが存在する領域に対応する所定の画素領域を検知対象として抽出し登録するステップと、
所定時間経過後に前記撮像装置で撮像した第２の撮像画像について、前記登録した検知対象と相関性を有する画素領域を抽出するステップと、
前記第１の撮像画像について抽出した画素領域と前記第２の撮像画像について抽出した画素領域との離間距離を前記所定時間で除算することにより、高温金属材の移動速度を算出するステップとを実行することを特徴とする高温金属材の移動速度測定装置。
【請求項２】
前記画像処理装置は、所定時間経過毎に、前記検知対象を新たに抽出し更新登録するように構成されていることを特徴とする請求項１に記載の高温金属材の移動速度測定装置。
【請求項３】
高温金属材の表面にマーキングを施すマーキング装置をさらに備え、
前記撮像装置は、前記マーキング装置によってマーキングが施された高温金属材の表面を撮像し、
前記画像処理装置は、前記撮像装置で撮像した撮像画像について、マーキングが存在する領域に対応する所定の画素領域を前記検知対象として抽出し登録できるように構成されていることを特徴とする請求項１又は２に記載の高温金属材の移動速度測定装置。
【発明の詳細な説明】
【技術分野】
【０００１】
本発明は、高温金属材の移動速度を非接触で精度良く測定することができると共にメンテナンス性に優れた移動速度測定装置に関する。
【背景技術】
【０００２】
金属材、例えば鋼材の製造プロセスでは、溶鋼を連続鋳造機によって凝固させるのが一般的である。鋼材の品質は凝固のプロセスに大きく影響されるため、連続鋳造機での製造管理基準は非常に厳格なものとされており、その中でも鋳込み速度、すなわち連続鋳造機における高温鋼材の移動速度の管理は特に重要な管理事項とされている。
【０００３】
従来、上記のような高温鋼材を含む高温金属材の移動速度を測定するため、一般的にはタッチロールを用いた接触式の速度測定装置が使用されている。すなわち、高温鋼材の表面にタッチロールを接触させ、高温鋼材の移動に伴った当該タッチロールの回転数をパルスジェネレータ等によって測定することにより高温鋼材の移動速度を測定するように構成された速度測定装置が使用されている。
【０００４】
しかしながら、上記タッチロール式の速度測定装置は、タッチロールを高温鋼材の表面に接触させる必要があることから、必然的にメンテナンス性が悪く維持管理に手間が掛かる他、タッチロールの摩耗やスリップによって測定精度が悪化し易いという問題がある。
【０００５】
これに対し、上記のような接触式の速度装置装置における問題を解決するべく、非接触式の速度測定装置が種々開発されてきている。
【０００６】
例えば、特許文献１には、いわゆるドップラー効果を利用して移動物体の速度を非接触で測定するレーザドップラー速度測定装置が開示されている。より具体的に説明すれば、レーザ発生手段から発信したレーザ光をビームスプリッタで２分割し、互いに反対方向から移動物体上に交差させて照射すると、各々の送光ビームに対応した移動物体の散乱光の波長は、移動物体の速度に応じて、正負のドップラーシフトを起こす。この２つの正負のドップラーシフトを受けた散乱光を受信光学系で受信し電気信号に変換すると、この電気信号の中にドップラー周波数の交流信号が存在する。このドップラー周波数は、測定対象たる移動物体の移動速度、レーザー光の波長及び２つの送光ビームの交差角の関数であるため、ドップラー周波数を測定することにより移動物体の速度を測定する構成が開示されている。
【０００７】
また、特許文献２には、いわゆるレーザスペックルパターンを利用して移動物体の速度を非接触で測定する速度測定装置が開示されている。より具体的に説明すれば、レーザ光源から移動物体に対してレーザ光を照射し、移動物体から反射したレーザスペックルパターンをリニアイメージセンサで検出する。そして、リニアイメージセンサからのレーザスペックルパターン（出力信号）が演算部に送信され、演算部において、まずある時刻における出力信号がメモリーに蓄えられ、参照信号として繰り返し読み出される。これと現在の信号との相互相関が計算されて、そのピーク位置としてリニアイメージセンサの軸方向のスペックル移動量が算出される。そして、この移動量から移動物体の移動速度を測定する構成が開示されている。
【０００８】
さらに、特許文献３には、カメラ等の映像撮影装置を利用して移動物体の速度を非接触で測定する速度測定装置が開示されている。より具体的に説明すれば、映像撮影装置で移動物体を撮影し、連続して取得した静止画に同一の検知対象物が撮影されている場合に、その重心位置を比較して移動距離を算出することにより移動物体の移動速度を測定する構成が開示されている。
【特許文献１】特開平５−４０１７６号公報
【特許文献２】特開２０００−２７５０１１号公報
【特許文献３】特開２００２−１９００２７号公報
【発明の開示】
【発明が解決しようとする課題】
【０００９】
特許文献１及び２に記載された速度測定装置は、共にレーザ光を利用する装置であるが、例えば、５００℃以上の高温の鋼材表面からは、一般的に計測装置に用いられるレーザ光の波長（赤外域）に近い波長の光が多量に放出されている。従って、これがノイズとなり、特許文献１及び２に記載された速度測定装置では、精度良く高温金属材の速度を測定することができないという問題がある。また、特許文献１に記載された速度測定装置は、光学系が複雑となるため、メンテナンス性が悪いという問題もある。
【００１０】
一方、特許文献３に記載された速度測定装置は、カメラ等の映像撮影装置を利用するものであるため、上記特許文献１、２のような問題は生じない。しかしながら、表面に特徴的な模様や色彩が人工的に施された移動物体と異なり、高温金属材を対象とする場合について、重心位置を比較する検知対象物を何にするべきかについては、特許文献３には開示も示唆もなく、特許文献３に記載された速度測定装置をそのまま高温金属材の移動速度測定に用いることは困難である。
【００１１】
本発明は、斯かる従来技術の問題点を解決するべくなされたものであり、高温金属材の移動速度を非接触で精度良く測定することができると共にメンテナンス性に優れた移動速度測定装置を提供することを課題とする。
【課題を解決するための手段】
【００１２】
前記課題を解決するべく、本発明の発明者らは鋭意検討した結果、（１）高温鋼材等の高温金属材の表面を撮像した場合、スケールが付着した部分に対応する画素と付着していない部分に対応する画素とでは、その輝度（濃度）が大きく異なる（スケールが付着した部分に対応する画素は明るく、付着していない部分に対応する画素は暗い）ため、スケールが適度に存在する領域に対応する所定の画素領域を検知対象とすれば、当該検知対象にはスケール付着の状態に応じた特徴的なパターン（濃淡パターン）が形成される。従って、高温金属材が移動した所定時間経過後の撮像画像についてパターンマッチング手法を用いて検知対象を抽出し、当該検知対象の所定時間当たりの移動距離を算出すれば、精度良く高温金属材の移動速度を測定できることを見出した。さらに、（２）高温金属材のエッジ部近傍は温度が低下していることに起因してスケールが非常に多く付着しているため、エッジ部近傍の領域に対応する画素領域を検知対象としたのでは、当該検知対象には特徴的なパターンが形成され難く、この結果、高温金属材が移動した所定時間経過後の撮像画像についてパターンマッチング手法を用いても検知対象を精度良く抽出できないことも見出した。
【００１３】
本発明は、上記発明者らの知見に基づいて完成されたものである。すなわち、本発明は、移動する高温金属材の表面を撮像する撮像装置と、前記撮像装置で撮像した撮像画像を画像処理して高温金属材の移動速度を算出する画像処理装置とを備え、前記画像処理装置は、前記撮像装置で撮像した第１の撮像画像について、高温金属材のエッジ部近傍を除く領域であって且つスケールが存在する領域に対応する所定の画素領域を検知対象として抽出し登録するステップと、所定時間経過後に前記撮像装置で撮像した第２の撮像画像について、前記登録した検知対象と相関性を有する画素領域を抽出するステップと、前記第１の撮像画像について抽出した画素領域と前記第２の撮像画像について抽出した画素領域との離間距離を前記所定時間で除算することにより、高温金属材の移動速度を算出するステップとを実行することを特徴とする高温金属材の移動速度測定装置を提供するものである。
【００１４】
斯かる発明によれば、高温金属材のエッジ部近傍を除く領域であって且つスケールが存在する領域に対応する所定の画素領域を検知対象とするため、当該検知対象にはスケールの状態に応じた特徴的なパターンが形成されることになる。そして、第１の撮像画像について当該検知対象を抽出し登録する一方、所定時間経過後（高温金属材の移動後）に撮像装置で撮像した第２の撮像画像について、前記登録した検知対象と相関性を有する画素領域が抽出される。換言すれば、高温金属材の移動に伴い、撮像装置の撮像視野内で前記検知対象の位置が移動するため、当該移動後の検知対象の位置を検出するべく、第２の撮像画像について前記登録した検知対象と相関性を有する画素領域が抽出される。この際、前述のように、検知対象にはスケールの状態に応じた特徴的なパターンが形成されているため、公知のパターンマッチング手法を用いて検知対象と相関性を有する画素領域（移動後の検知対象）を精度良く抽出することが可能である。そして、第１の撮像画像について抽出した画素領域（すなわち、移動前の検知対象）と第２の撮像画像について抽出した画素領域（すなわち、移動後の検知対象）との離間距離を前記所定時間で除算することにより、高温金属材の移動速度が算出されることになる。
【００１５】
以上のように、本発明に係る高温金属材の移動速度測定装置によれば、高温金属材の移動速度を非接触で精度良く測定することができると共に、撮像装置と画像処理装置とで構成されているためメンテナンス性に優れるという利点を有する。なお、第１の撮像画像を撮像してから第２の撮像画像を撮像するまでの経過時間としては、登録した検知対象が撮像装置の撮像視野外に移動してしまわない限りにおいて任意の時間を設定することが可能である。すなわち、撮像装置の視野、第１の撮像画像における検知対象の位置、大きさ及び高温金属材のおおよその移動時間に基づいて、登録した検知対象が撮像装置の撮像視野外に移動してしまうまでのおおよその時間を予測できるため、当該予測時間を超えない時間を設定すれば良いことになる。
【００１６】
好ましくは、前記画像処理装置は、所定時間経過毎に、前記検知対象を新たに抽出し更新登録するように構成される。
【００１７】
前述のように、登録した検知対象はいずれ撮像装置の視野外に移動してしまうため、撮像画像（第２の撮像画像）から、登録した検知対象と相関性を有する画素領域を抽出できなくなってしまう。すなわち、登録した検知対象が撮像装置の視野外に移動してしまった後には、高温金属材の移動速度を算出することができなくなってしまう。
【００１８】
しかしながら、前記好ましい構成によれば、所定時間経過毎に、前記検知対象を新たに抽出し更新登録するため、先に登録した検知対象が撮像装置の視野外に移動してしまったとしても、更新登録された検知対象と相関性を有する画素領域を撮像画像（第２の撮像画像）から抽出し、これにより高温金属材の移動速度を算出することが可能である。すなわち、連続して（高温金属材の全長に亘って）高温金属材の移動速度を測定することが可能である。なお、検知対象を先に登録してから新たに検知対象を抽出し更新登録するまでの経過時間としては、前述したのと同様に、先に登録した検知対象が撮像装置の撮像視野外に移動してしまわない限りにおいて任意の時間を設定することが可能である。すなわち、撮像装置の視野、第１の撮像画像における検知対象の位置、大きさ及び高温金属材のおおよその移動時間に基づいて、登録した検知対象が撮像装置の撮像視野外に移動してしまうまでのおおよその時間を予測できるため、当該予測時間を超えない時間を設定すれば良いことになる。
【００１９】
また、好ましくは、高温金属材の表面にマーキングを施すマーキング装置をさらに備え、前記撮像装置は、前記マーキング装置によってマーキングが施された高温金属材の表面を撮像し、前記画像処理装置は、前記撮像装置で撮像した撮像画像について、マーキングが存在する領域に対応する所定の画素領域を前記検知対象として抽出し登録するように構成される。
【００２０】
高温金属材の材質（例えば、低炭素鋼）によってはスケールの生成量が少なくなる結果、検知対象に特徴的なパターンが形成されず、検知対象と相関性を有する画素領域の抽出精度が低下する（ひいては高温金属材の移動速度測定精度が低下する）ことが懸念される。
【００２１】
しかしながら、前記好ましい構成によれば、マーキング装置によって高温金属材表面にマーキングが施され、マーキングが存在する領域に対応する所定の画素領域を検知対象として抽出し登録することが可能であるため、当該検知対象にはマーキングに応じた特徴的なパターンが形成されることになる。従って、検知対象と相関性を有する画素領域を精度良く抽出する（ひいては高温金属材の移動速度を精度良く測定する）ことが可能である。なお、マーキング装置によってマーキングを施すか否かの判断は、速度を測定するべき高温金属材の材質等を予め画像処理装置に登録しておき、スケールの生成量が少なくなる材質の高温金属材が移動してきた場合には自動的にマーキングを施すように構成する他、オペレータがスケールの生成状態を目視で確認し、スケールの生成量が少ないと判断した場合には、マニュアル操作でマーキングを施すように構成することも可能である。
【発明の効果】
【００２２】
本発明に係る高温金属材の移動速度測定装置によれば、高温金属材の移動速度を非接触で精度良く測定することができると共にメンテナンス性に優れるという優れた効果を奏することが可能である。
【発明を実施するための最良の形態】
【００２３】
以下、添付図面を参照しつつ、本発明の一実施形態について、連続鋳造機における高温鋼材の移動速度を測定する場合を例に挙げて説明する。
【００２４】
図１は、本発明の一実施形態に係る高温鋼材の移動速度測定装置（以下、適宜「速度測定装置」という）１０の概略構成を模式的に示す平面図である。図１に示すように、本実施形態に係る速度測定装置１０は、連続鋳造機内を移動する高温鋼材Ｓの表面（本実施形態では幅方向側面）を撮像する撮像装置１と、撮像装置１で撮像した撮像画像を画像処理して高温鋼材Ｓの移動速度を算出する画像処理装置２とを備えている。
【００２５】
本実施形態において移動速度を測定する対象となる高温鋼材Ｓは、その表面温度が約６００℃〜１０００℃であり、移動速度は約０．６ｍ／ｍｉｎ〜１．０ｍ／ｍｉｎの範囲で設定されている。
【００２６】
本実施形態に係る撮像装置１は、横方向６４０画素、縦方向４８０画素のＣＣＤカメラとされており、高温鋼材Ｓの表面から約２ｍ離間した位置において、光軸が高温鋼材Ｓの表面に対して略垂直になるように設置され、撮像視野の寸法は横１００ｍｍ×縦７５ｍｍに設定されている。本実施形態では、上記のように、高温鋼材Ｓの表面から十分離間した位置に撮像装置１を設置しているため、撮像装置１周辺の雰囲気温度は約４０℃であり、工場圧空による空冷で十分に冷却可能である。
【００２７】
本実施形態に係る画像処理装置２は、撮像装置１で撮像した高温鋼材Ｓ表面の撮像画像を適宜のタイミングにおいて８ビット（２５６階調）で取り込み、取り込んだ撮像画像に対して画像処理を施すことによって、高温鋼材Ｓの移動速度（鋳造速度）を算出するように構成されている。以下、図２及び図３を適宜参照しつつ、画像処理装置２における処理の内容について具体的に説明する。
【００２８】
図２は、本実施形態に係る撮像装置１によって撮像される高温鋼材Ｓ表面の状態を模式的に示す側面図である。図３は、本実施形態に係る画像処理装置２における処理内容を説明するための説明図である。図２又は図３（ａ）に示すように、画像処理装置２は、先ず最初に、撮像装置１によって適宜のタイミングで撮像した第１の撮像画像（図２において破線の矩形で囲った領域が撮像視野であり、前述のように、その寸法は横１００ｍｍ×縦７５ｍｍである）を取り込み、当該第１の撮像画像について、高温鋼材Ｓのエッジ部Ｅ近傍を除く領域であって且つスケールが存在する領域に対応する所定の画素領域（図２において実線の矩形で囲った領域であり、その寸法は横１０ｍｍ×縦６０ｍｍである）を検知対象として抽出し登録する。より具体的に説明すれば、高温鋼材Ｓのエッジ部Ｅ近傍を除く領域であって且つスケールが存在する領域に対応するように、撮像画像内で予め定められた位置及び寸法の画素領域の画素情報（画素領域を構成する各画素の濃度値）を抽出し、記憶するように構成されている。なお、図２に示すように、高温鋼材Ｓのエッジ部Ｅ近傍は温度が低下していることに起因してスケールが非常に多く付着しているため、エッジ部Ｅ近傍の領域に対応する画素領域を検知対象としたのでは、当該検知対象には特徴的なパターンが形成され難い。従って、本実施形態では、高温鋼材Ｓのエッジ部Ｅ近傍を除く領域に対応する画素領域を検知対象として設定している。
【００２９】
次に、図３（ｂ）に示すように、画像処理装置２は、所定時間経過後（本実施形態では、２００ｍｓｅｃ経過毎）に撮像装置１で撮像した第２の撮像画像を取り込み、当該第２の撮像画像について、前記登録した検知対象と相関性を有する画素領域を抽出する。より具体的に説明すれば、第２の撮像画像内において、前記登録した検知対象と同寸法の画素領域を順次走査し、当該走査した画素領域内の各画素と、前記登録した検知対象を構成する各画素との間でいわゆる正規化相関処理を行って、画像の一致度を示す相関値が最も大きくなった画素領域を前記登録した検知対象と相関性を有する画素領域として抽出するように構成されている。
【００３０】
画像処理装置２は、前記第１の撮像画像について抽出した画素領域（図３（ａ）に示す矩形線で囲った領域）と前記第２の撮像画像について抽出した画素領域（図３（ｂ）に示す矩形線で囲った領域）との離間距離（各矩形の中心位置同士の離間距離）Ｌを算出する。より具体的に説明すれば、画像処理装置２には、撮像装置１の撮像視野に応じた１画素当たりの実寸法が予め登録されており、画素単位で算出した離間距離に前記予め登録された１画素当たりの実寸法を乗算することにより、実寸法単位で離間距離Ｌを算出するように構成されている。
【００３１】
最後に、画像処理装置２は、前記算出した離間距離Ｌを前記所定時間で除算することにより、高温鋼材Ｓの移動速度を算出する。すなわち、第１の撮像画像を取り込んでから２００ｍｓｅｃ経過後に取り込んだ第２の撮像画像に基づいて離間距離Ｌを算出し、これを２００ｍｓｅｃで除算することにより高温鋼材Ｓの移動速度を算出する。次に、第１の撮像画像を取り込んでから４００ｍｓｅｃ経過後に取り込んだ第２の撮像画像に基づいて新たな離間距離Ｌを算出し、これを４００ｍｓｅｃで除算することにより高温鋼材Ｓの次の移動速度を算出する。このような演算を２００ｍｓｅｃ毎に繰り返し、連続的に移動速度を算出している。なお、本実施形態では、急激な移動速度（鋳込み速度）の変動が生じた場合に、これに応じて鋳込み速度を制御したのでは、所謂ブレークアウトを引き起こして操業停止に陥る危険性があるため、上記のようにして２００ｍｓｅｃ毎に算出した移動速度を移動平均処理（例えば、１０回分の移動速度の平均値を２００ｍｓｅｃ毎に算出）し、当該移動平均処理後の移動速度を測定結果として出力し、これに基づいて鋳込み速度を制御する（すなわち、緩やかに鋳込み速度を追従させる）ように構成している。
【００３２】
以上に説明したように、本実施形態に係る速度測定装置１０は、高温鋼材Ｓのエッジ部Ｅ近傍を除く領域であって且つスケールが存在する領域に対応する所定の画素領域を検知対象とするため、当該検知対象にはスケールの状態に応じた特徴的なパターンが形成される。そして、第１の撮像画像について当該検知対象を抽出し登録する一方、所定時間経過後（高温鋼材Ｓの移動後）に撮像装置１で撮像した第２の撮像画像について、前記登録した検知対象と相関性を有する画素領域が抽出される。換言すれば、高温鋼材Ｓの移動に伴い、撮像装置１の同一の撮像視野内で前記検知対象の位置が移動するため、当該移動後の検知対象の位置を検出するべく、第２の撮像画像について前記登録した検知対象と相関性を有する画素領域が抽出される。この際、前述のように、検知対象にはスケールの状態に応じた特徴的なパターンが形成されているため、公知のパターンマッチング手法（本実施形態では、正規化相関処理）を用いて検知対象と相関性を有する画素領域（移動後の検知対象）を精度良く抽出することが可能である。そして、第１の撮像画像について抽出した画素領域（すなわち、移動前の検知対象）と第２の撮像画像について抽出した画素領域（すなわち、移動後の検知対象）との離間距離Ｌを前記所定時間で除算することにより、高温鋼材Ｓの移動速度を精度良く算出することが可能である。
【００３３】
なお、本実施形態に係る速度測定装置１０では、高温鋼材Ｓの移動速度を連続して（全長に亘って）測定するべく、図３（ｃ）に示すように、画像処理装置２が、所定時間経過毎に、前記検知対象を新たに抽出し更新登録するように構成されている。すなわち、初めに登録した検知対象（図３（ａ）参照）は、いずれ撮像装置１の視野外に移動してしまうため、撮像画像（第２の撮像画像）から、登録した検知対象と相関性を有する画素領域を抽出できなくなってしまう。しかしながら、本実施形態のように、所定時間経過毎に、前記検知対象を新たに抽出し更新登録する構成とすれば、先に登録した検知対象が撮像装置１の視野外に移動してしまったとしても、新たに更新登録された検知対象と相関性を有する画素領域を撮像画像（第２の撮像画像）から抽出できるため、これにより高温鋼材Ｓの移動速度を途切れることなく算出することが可能である。なお、検知対象を先に登録してから新たに検知対象を抽出し更新登録するまでの経過時間としては、先に登録した検知対象が撮像装置１の撮像視野外に移動してしまわない限りにおいて任意の時間を設定することが可能であり、本実施形態では、撮像視野外に移動する直前である約７秒毎に検知対象を更新登録するように構成している。
【００３４】
また、本実施形態に係る速度測定装置１０は、好ましい構成として、高温鋼材Ｓの表面にマーキングを施すマーキング装置（図示せず）をさらに備えている。そして、撮像装置１は、前記マーキング装置によってマーキングが施された高温鋼材Ｓの表面を撮像するように構成されており（具体的には、撮像装置１の視野内にある高温鋼材Ｓの表面にマーキングを施すように構成されている）、画像処理装置２は、撮像装置１で撮像した撮像画像について、マーキングが存在する領域に対応する所定の画素領域を前記検知対象として抽出し登録できるように構成されている（マーキング装置を使用するか否かは適宜選択可能とされている）。
【００３５】
斯かる好ましい構成により、例えば、低炭素鋼からなる鋼材Ｓのように、スケールの生成量が少なくなる結果、検知対象に特徴的なパターンが形成されず、検知対象と相関性を有する画素領域の抽出精度が低下する（ひいては高温鋼材Ｓの移動速度測定精度が低下する）ことが懸念される場合であっても、マーキング装置によって高温鋼材Ｓ表面にマーキングが施され、マーキングが存在する領域に対応する所定の画素領域を検知対象として抽出し登録することが可能であるため、当該検知対象にはマーキングに応じた特徴的なパターンが形成されることになる。従って、検知対象と相関性を有する画素領域を精度良く抽出する（ひいては高温金属材の移動速度を精度良く測定する）ことが可能である。なお、マーキング装置の構成やマーキング媒体の材質については、公知のものを種々適用可能であるため、ここではその詳細な説明は省略する。また、マーキングを施すタイミング（時間間隔）としては、先に施したマーキングが撮像装置１の撮像視野外に移動してしまわない限りにおいて任意の時間間隔を設定することが可能であり、本実施形態では、撮像視野外に移動する直前である約７秒毎に新たなマーキングを施すように構成している。
【００３６】
図４は、以上に説明した本実施形態に係る速度測定装置１０（ただし、マーキング装置は不使用）を用いて高温鋼材の移動速度（設定速度は０．８ｍ／ｍｉｎ）を測定した場合と、同じ高温鋼材の移動速度を従来のタッチロール式の速度測定装置で測定した場合との比較結果の一例を示す。図４に示すように、本実施形態に係る速度測定装置１０の測定値（図４において「本発明」と表記したデータ）及び従来のタッチロール式速度測定装置の測定値（図４において「従来例」と表記したデータ）の何れの場合にも、その値は設定速度に略等しい値となっており、短時間（図４に示す例では１時間）で評価した場合の測定精度は同等であるといえる。ただし、タッチロール式速度測定装置を用いる場合には、前述のように、タッチロールを高温鋼材の表面に接触させる必要があることから、必然的にメンテナンス性が悪く維持管理に手間が掛かる他、タッチロールの摩耗によって長期的に見れば測定精度が悪化してしまう（摩耗すればその分だけタッチロールの外周長が短くなる結果、測定値が実速度よりも大きくなる）という問題がある。これに対して、本実施形態に係る速度測定装置１０によれば、上記のような問題が生じず、高温鋼材の移動速度を非接触で長期間に亘って精度良く測定することができると共に、撮像装置と画像処理装置とで構成されているためメンテナンス性に優れるという利点を有する。
【図面の簡単な説明】
【００３７】
【図１】図１は、本発明の一実施形態に係る高温鋼材の移動速度測定装置の概略構成を模式的に示す平面図である。
【図２】図２は、図１に示す撮像装置によって撮像される高温鋼材表面の状態を模式的に示す側面図である。
【図３】図３は、図１に示す画像処理装置における処理内容を説明するための説明図である。
【図４】図４は、本発明に係る速度測定装置を用いて高温鋼材の移動速度を測定した場合と、同じ高温鋼材の移動速度を従来のタッチロール式の速度測定装置で測定した場合との比較結果の一例を示す。
【符号の説明】
【００３８】
１・・・撮像装置
２・・・画像処理装置
１０・・・移動速度測定装置
Ｅ・・・エッジ部
Ｓ・・・高温鋼材（高温金属材）  
【図１】
2006214786.tif 000003
【図２】
2006214786.tif 000004
【図３】
2006214786.tif 000005
【図４】
2006214786.tif 000006